(57)【要約】      （修正有）【課題】簡単な構成でなるべく収納場所に困ることのないお玉置きを提供する。【解決手段】お玉置き１は、調理時に使用するお玉２を一時的に置く為の器本体を有するものであって、お玉２の頭部２１を横向き、又は伏せた姿勢で器本体に部分的に嵌め込んで置けるように、この器本体をお玉２の柄２２と直交する方向となりうる左右方向に屈曲させて形成するとともに、この器本体の正面側と左右両側とに、お玉とともに使用する箸３を一時的に置く為の箸置き１５，１６をそれぞれ設けている。【選択図】図４
0003158724.tif 000002
【実用新案登録請求の範囲】
【請求項１】
調理時に使用するお玉を一時的に置く為の器本体を有するお玉置きであって、
お玉の頭部を横向き、又は伏せた姿勢で前記器本体に部分的に嵌め込んで置けるように、該器本体をお玉の柄と直交する方向となりうる左右方向に屈曲させて形成したことを特徴とするお玉置き。
【請求項２】
前記器本体は、お玉の頭部を部分的に嵌め込むためのＵ溝を備えることにより、平面視で同心の円弧状をなすことを特徴とする請求項１記載のお玉置き。
【請求項３】
前記器本体の左右方向の少なくとも一端側に箸置部を設けたことを特徴とする請求項１または２記載のお玉置き。
【請求項４】
前記器本体の左右方向における中心部付近を窪ませて箸置部としたことを特徴とする請求項１〜３のいずれか１項に記載のお玉置き。
【考案の詳細な説明】
【技術分野】
【０００１】
本考案は、調理時に使用するお玉を一時的に置く為の器本体を備えたお玉置きに関するものである。
【背景技術】
【０００２】
従来のお玉置きは、お玉の柄を立てた姿勢でその頭部が入るくらいの深さの窪みがあり、該窪みからお玉の頭部が飛び出さないよう、お玉置きの内側の一部に係止部を設けた小皿形のものが多かった。しかし、お玉置きを洗う際、係止部が邪魔になって洗いにくいという難点があった。
【０００３】
そこで、一時的にお玉を保持する為の、お玉置きに関する種々な技術が開発されている。例えば、特許文献１に記載された箸置きつきお玉置き器では、お玉の頭部を仰向け姿勢にし、お玉の頭部の先端部を固定出来るように、係止部を設けている。更に、側面の一部を凹状にして、お玉置き器の上にのせた箸が転がり落ちないようにしている。
【考案の概要】
【考案が解決しようとする課題】
【０００４】
しかしながら、前記特許文献１に記載された従来技術では、お玉の頭部は、上記姿勢では平面視におけるほぼ最大面積である小皿ぐらいの大きさとなり、お玉の頭部を置くお玉置き自体はそのお玉の頭部より一回り以上大きくなってしまう。また、お玉置きが軽いと、お玉の重量で転倒しやすい。したがって、お玉置きは重くつくられており、それを使用していない場合でも、該お玉置きによってスペースを取ってしまうから、収納場所に困ることが多い。
【０００５】
本考案は、上記事情に鑑みたものであり、その目的とするところは、簡単な構成でなるべく収納場所に困ることのないお玉置きを提供することである。
【課題を解決するための手段】
【０００６】
本考案は、調理時に使用するお玉を一時的に置く為の器本体を有するお玉置きであって、お玉の頭部を横向き、又は伏せた姿勢で前記器本体に部分的に嵌め込んで置けるように、該器本体をお玉の柄と直交する方向となりうる左右方向に屈曲させて形成したことを特徴とするものである。
【０００７】
本考案によれば、お玉の頭部を横向き、又は伏せた姿勢で前記器本体に部分的に嵌め込んで置けるように、該器本体をお玉の柄と直交する方向となりうる左右方向に屈曲させて形成したので、お玉の頭部が平面視におけるほぼ最小面積となる上記姿勢で、該お玉の頭部を器本体に部分的に嵌め込むだけで、そのお玉を安定して置くことが出来る。したがって、器本体は従来例に比べて極めて小さくて軽いものとなり、お玉を使用していない場合には、その器本体の収納場所に困ることがない。
【０００８】
また、本考案によれば、複雑な構成とはならない為、製作コストを安価に抑えることが出来るとともに、それを洗いやすい為、非常に衛生的であるというメリットもある。
【０００９】
請求項２記載の考案のように、前記器本体は、お玉の頭部を部分的に嵌め込むためのＵ溝を備えることにより、平面視で同心の円弧状をなすものであることが好ましい。
【００１０】
請求項２記載の考案によれば、前記器本体は、お玉の頭部を部分的に嵌め込むためのＵ溝を備えることにより、平面視で同心の円弧状をなすので、小皿の約半分くらいの面積になる。それで、未使用時にスペースをとらず収納することが出来る。
【００１１】
請求項３記載の考案のように、前記器本体の左右方向の少なくとも一端側に箸置部を設けることが好ましい。
【００１２】
請求項３記載の考案によれば、前記器本体の左右方向の少なくとも一端側に箸置部を設けたので、調理時にお玉と同様によく使われる箸の置き場も提供出来る。
【００１３】
請求項４記載の考案のように、前記器本体の左右方向における中心部付近を窪ませて箸置部とすることが好ましい。
【００１４】
請求項４記載の考案によれば、前記器本体の左右方向における中心部付近を窪ませて箸置部としたので、より沢山の箸を置く為のスペースを確保することが出来る。
【考案の効果】
【００１５】
本考案によれば、お玉の頭部を横向き、又は伏せた姿勢で前記器本体に部分的に嵌め込んで置けるように、該器本体をお玉の柄と直交する方向となりうる左右方向に屈曲させて形成したので、お玉の頭部が平面視におけるほぼ最小面積となる上記姿勢で、該お玉の頭部を器本体に部分的に嵌め込むだけで、そのお玉を安定して置くことが出来る。したがって、器本体は従来例に比べて極めて小さくて軽いものとなり、お玉を使用していない場合には、その器本体の収納場所に困ることがない。
【００１６】
また、本考案によれば、複雑な構成とはならない為、製作コストを安価に抑えることが出来るとともに、それを洗いやすい為、非常に衛生的であるというメリットもある。
【図面の簡単な説明】
【００１７】
【図１】本考案の一実施形態に係るお玉置きの全体構成を示す斜視図である。
【図２】本お玉置きの平面図である。
【図３】本お玉置きの正面図である。
【図４】本お玉置きの使用状態の一例を示す斜視図である。
【図５】本お玉置きの使用状態の他の例を示す斜視図である。
【考案を実施するための形態】
【００１８】
図１は本考案の一実施形態に係るお玉置き（以下、「本お玉置き」という。）１の全体構成を示す斜視図、図２は本お玉置き１の平面図、図３は本お玉置き１の正面図、図４は本お玉置き１の使用状態の一例を示す斜視図、図４は本お玉置き１の使用状態の他の例を示す斜視図である。図１〜図３に示すように、本お玉置き１は、たとえば陶器製のものであって、左右方向に屈曲して形成された器本体１０と、この器本体１０の左右に一体的に設けられた箸置部１５，１６とからなっている。
【００１９】
器本体１０は、図示しない調理卓などの上に置く為の底部１１と、この底部１１の周縁から立設された周壁１２とを備えている。これらにより、器本体１０には、図４および図５に示すように、お玉２の略半球形状の頭部２１を、横向き、又は伏せた姿勢で部分的に嵌め込むためのＵ溝１３が形成される。したがって、器本体１０は、平面視で同心の円弧状をなすことになり、小皿の約半分くらいの面積になるから、小型化されるとともに、軽量化される。それでもって、本お玉置き１は、未使用時にスペースをとらず、どこにでも収納することが出来る。
【００２０】
器本体１０は、周壁１２の背面側は比較的高く設定しているが、正面側は比較的低く設定しており、この正面側のさらに左右方向における中心部付近を窪ませて予備の箸置部１４としている。この箸置部１４を、箸置部１５，１６とともに使用することにより、より沢山の箸３を置く為のスペースを確保することが出来る。
【００２１】
箸置部１５，１６は、器本体１０の周壁１２の左右方向の両端における外側に付設されている。これらの箸置部１５，１６は、平面視で左右対称のリング状をなし、かつ、いずれも正面視で中央付近を若干窪ましている。これらにより、調理時にお玉２と同様によく使われる箸３の基本的な置き場を提供出来る。
【００２２】
引き続き、本お玉置き１の使用方法について、主として図４および図５を参照して説明する。
【００２３】
ここでは、調理時に使用したお玉２を一時的に置く際に、図４に示すように、お玉２の頭部２１を伏せた姿勢で、お玉置き１の器本体１０のＵ溝１３内に部分的に嵌め込むものとする。このとき、Ｕ溝１３内に部分的に嵌め込まれたお玉２の頭部２１は略半球形であるため、その柄２２の重みだけで左右いずれかの方向に自然に回転してしまうようにも見える。しかしながら、Ｕ溝１３内に部分的に嵌め込まれたお玉２の頭部２１は、通常、底部１１や周壁１２と接触するから、その柄２２の重みだけで左右のいずれかの方向に自然に回転することはほとんどない。
【００２４】
その一方、お玉２の柄２２の基部は図示しない調理卓などの上にあって、お玉置き１の器本体１０のＵ溝１３内に嵌め込まれたお玉２の頭部２１とともに支持することになるから、お玉２は多点支持となって器本体１０のＵ溝１３内に安定的に置くことが出来る。このとき、お玉２はもともと伏せた姿勢にあるので、転倒することはありえず、このため、器本体１０の軽量化を図ることが出来る。
【００２５】
もちろん、図５に示すように、お玉２の頭部２１をはじめから横向きにした姿勢、あるいは、この横向き姿勢と前記伏せた姿勢との中間姿勢で、お玉置き１の器本体１０のＵ溝１３内に部分的に嵌め込むことも出来る。このときにも、上記と同様の理由により、お玉２は多点支持となって器本体１０のＵ溝１３内にお玉２を安定的に置くことが出来る。このときも、お玉２はもともと横向き姿勢、あるいは、この横向き姿勢と前記伏せた姿勢との中間姿勢にあるので、器本体１０の重量が小さくてもそれが転倒することはありえず、このため、器本体１０の軽量化を図ることができる。
【００２６】
そして、いずれの場合も、お玉２の頭部２１に調理中に付着した汁などは、お玉置き１の器本体１０のＵ溝１３内に完全に回収され、その外部に垂れて落ちることがなくなるから、図示しない調理卓などを汚してしまうことがない。
【００２７】
次いで、調理時にお玉２とともに使用した箸３を一時的に置く際に、箸３の先端部を、お玉置き１の器本体１０の左右の箸置き１５，１６のいずれか一方、あるいは、両方に置くことが出来る（図４参照）。箸３の断面は、円形のものであってもよいし、角形のものであってもよい。
【００２８】
このとき、箸３の先端部は、お玉置き１の器本体１０の左右の箸置き１５，１６の若干窪んだ部分に載置されるので、それが箸置き１５，１６からひとりでに転がり落ちることはない。
【００２９】
その一方、箸３の基部は図示しない調理卓などの上にあって、お玉置き１の器本体１０の左右の箸置き１５，１６上で転がらない先端部とともに支持されているから、箸３は器本体１０の左右の箸置き１５，１６に安定的に置くことが出来る。
【００３０】
お玉２とは異なり、通常、箸３の先端には汁などが大量には付着していないので、箸置き１５，１６には必ずしも底部を設ける必要はないが、底部を設けて汁などを完全に回収出来るようにしてもよい。
【００３１】
ところで、箸３をさらに使用していると、箸置き１５，１６だけでは置き場所が不足してくることがある。この為に、お玉置き１には、さらなる箸置き１４が設けられている。
【００３２】
このとき、箸３の先端部は、お玉置き１の器本体１０の中央付近の箸置き１４の若干窪んだ部分に載置されるので、それが箸置き１４からひとりでに転がり落ちることはない。
【００３３】
その一方、箸３の基部は図示しない調理卓などの上にあって、お玉置き１の器本体１０の中央付近の箸置き１４の転がらない先端部とともに支持されているから、箸３は器本体１０の左右の箸置き１４に安定的に置くことが出来る。
【００３４】
このときには、箸３の先端に汁などが多少付着していたとしても、それらは器本体１０のＵ溝１３内に完全に回収される。
【００３５】
以上説明したように、本実施形態のお玉置き１によれば、お玉２の頭部２１を横向き、又は伏せた姿勢で器本体１０に部分的に嵌め込んで置けるように、器本体１０をお玉２の柄２２と直交する方向となりうる左右方向に屈曲させて形成したので、お玉２の頭部２１が平面視におけるほぼ最小面積となる上記姿勢で、お玉２の頭部２１を器本体１０に部分的に嵌め込むだけで、そのお玉２を安定して置くことが出来る。
【００３６】
したがって、器本体１０は従来例に比べて極めて小さくて軽いものとなり、お玉２を使用していない場合には、その器本体１０の収納場所に困ることがない。
【００３７】
また、本実施形態のお玉置き１によれば、複雑な構成とはならない為、製作コストを安価に抑えることが出来るとともに、それを洗いやすい為、非常に衛生的であるというメリットもある。
【００３８】
なお、上記実施形態では、お玉置き１の器本体１０の左右両側に箸置き１５，１６を設けているが、これらの箸置き１５，１６のうちのいずれか一方だけを設けてもよいし、いずれも設けなくてもよい。
【００３９】
また、上記実施形態では、お玉置き１の器本体１０の正面側の中央付近にさらなる箸置き１４を設けているが、箸置き１５，１６に代えて、この箸置き１４だけを設けてもよい。また、背面側を含めて、さらに多くの箸置きを設けてもよいし、まったく設けなくてもよい。
【符号の説明】
【００４０】
１  お玉置き
１０  器本体
１１  底部
１２  周壁
１３  Ｕ溝
１４，１５，１６  箸置き
２  お玉
２１  頭部
２２  柄
３  箸
【先行技術文献】
【特許文献】
【００４１】
【特許文献１】特開２００５−１６０９８８号公報
【図１】
0003158724.tif 000003
【図２】
0003158724.tif 000004
【図３】
0003158724.tif 000005
【図４】
0003158724.tif 000006
【図５】
0003158724.tif 000007